(57)【特許請求の範囲】
【請求項１】
芯部を有し、この芯部から両側方に突出するヒレを備え、前記芯部に、芯部の正面側の中央部において開くまたは開いた、所定の深さをして、深さ方向の奥方に向けて溝幅方向の拡がりを有さない溝が設けられた乾式目地材と、
板状の形態をし、前記乾式目地材の溝内に差し込まれ、前記乾式目地材の溝の深さとの関係で、両板面にて前記乾式目地材を側方に振れさせないように規制できるようになされた差込み部、及び、持ち手部を備えた目地材装着用治具と
を用い、
前記乾式目地材の溝に治具の差込み部を差し込み、持ち手部を持ち、乾式目地材を目地内に押し込んでいき、その押込み過程で、該乾式目地材が側方に振れようとするのを、溝に差し込んだ治具の差込み部に阻止させるようにして、該乾式目地材を所定の装着深さ位置にセットすることを特徴とする目地内への乾式目地材の装着方法。
【請求項２】
芯部を有し、この芯部から両側方に突出するヒレを備え、前記芯部に、芯部の正面側の中央部において開くまたは開いた、所定の深さをして、深さ方向の奥方に向けて溝幅方向の拡がりを有さない溝が設けられた乾式目地材と、
板状の形態をし、前記乾式目地材の溝内に差し込まれ、前記乾式目地材の溝の深さとの関係で、両板面にて前記乾式目地材を側方に振れさせないように規制できるようになされた差込み部、及び、持ち手部を備えた目地材装着用治具と
を用い、
目地内で側方に振れた状態に装着されてしまった乾式目地材に対し、前記治具の差込み部を目地内の該乾式目地材の溝に差し込んで該治具の持ち手を操作し、乾式目地材の向きを修正することを特徴とする目地内への乾式目地材の装着方法。
【発明の詳細な説明】
【０００１】
【発明の属する技術分野】
本発明は、乾式目地材に関する。
【０００２】
【従来の技術】
図４（イ）（ロ）に示すように、例えば、外壁などの目地防水構造として、芯部５１を備え、この芯部５１から両側方に突出するヒレ５２…を備えた弾力性を有するゴム状の乾式目地材５３を用い、この乾式目地材５３を、２次止水材として目地５４内の奥方に装着し、そして、目地５４内の手前側にシーリング材５５を充填する構造のものがある。
【０００３】
【発明が解決しようとする課題】
例えば、この目地防水構造において、乾式目地材５３を目地５４内の奥方に装着しようとすると、図４（ハ）に示すように、不本意にも斜めを向いてしまったりして、適正な姿勢状態に装着するのが、施工上、なかなかに難しいという問題があった。
【０００４】
本発明は、かかる問題点に鑑みてなされたものであって、目地内に、適正な姿勢状態に確実に装着することができる構造の乾式目地材を提供することを課題とする。
【０００５】
【課題を解決するための手段】
上記の課題は、芯部を有し、この芯部から両側方に突出するヒレを備えた乾式目地材において、芯部に、芯部の正面側に開くまたは開いた目地材装着用として使用可能な溝が設けられていることを特徴とする乾式目地材によって解決される。
【０００６】
この乾式目地材は、芯部の正面側に溝が設けられているから、この溝に目地材装着用の治具を差し込み、この治具で、乾式目地材の向きを一定方向に固定しながら目地内に差し込んでいくことができ、従って、乾式目地材を、目地内に、適正な姿勢状態に確実に装着することができる。
【０００７】
しかも、溝は芯部に備えられているから、乾式目地材の向きを治具で一定方向に固定するに必要な深さの溝を形成することができるし、この溝の形成によって防水性能や目地材としての機能が損なわれることもない。
【０００８】
また、上記の課題は、基本的には、正面側に開くまたは開いた目地材装着用として使用可能な溝が設けられていることを特徴とする乾式目地材によって解決可能である。
【０００９】
【発明の実施の形態】
次に、本発明の実施形態を図面に基づいて説明する。
【００１０】
図１（ロ）に示す目地防水構造において、１は目地、２はバックアップ材としても機能する防水帯、３は二次止水材としての乾式目地材、４は一次止水材としての不定形弾性シーリング材であり、目地１の背後に防水帯２が備えられ、目地１内の奥方に乾式目地材３が装着され、目地１内の手前側にシーリング材４が充填されている。
【００１１】
この目地構造において、乾式目地材３は、弾力性を有するゴム状のものからなっており、図１（イ）に示すように、芯部５と、この芯部５から両側方に突出するヒレ６…とを備え、ヒレ６…の弾力性によって目地１の寸法誤差を吸収したり、また、温度変化などによる目地１の動きに追従して弾力的に変形することで目地１を止水状態に保つようになされている。
【００１２】
この乾式目地材３において、その正面側の中央部、即ち芯部５に対応する部分には、この目地材３の正面側に開く又は開いた、所定の深さのスリット状の溝７が形成されており、図２に示すように、この溝７に、目地材装着用治具８を差し込むことができるようになっている。
【００１３】
目地材装着用治具８は、溝７内に差し込まれる差込み部９と、持ち手部１０とを備えており、持ち手部１０を持って差込み部９を溝７内に差し込むことができるようになっている。差込み部９は、板状の形態を備えており、溝７内に差し込んだ状態にし、持ち手部１０を持って固定した状態において、乾式目地材３が左右に勝手に振れないようにするものである。即ち、溝７の深さ、幅、長さの各寸法は、治具８の差込み部９を溝７内に差し込んだ状態において、そのような左右方向の勝手な振れが規制されるような寸法に設定されている。
【００１４】
目地１への上記の乾式目地材３の装着は、図３（イ）（ロ）に順次に示すように、乾式目地材３の溝７に治具８の差込み部９を差し込んだ状態にし、持ち手部１０を持ち、その状態で、乾式目地材３を目地１内に押し込んで、所定の装着位置にセットするというようにして行う。この装着作業において、乾式目地材３は、目地１内において装着位置まで押し込んでいく過程で左右に振れようとするが、この振れを治具８の差込み部９が阻止し、それによって乾式目地材３は、左右に振れてしまうことなく、所定の装着位置に装着される。このように、上記の乾式目地材３によれば、この乾式目地材３を、目地１内に、適正な姿勢状態に確実に装着することができる。そして、最後に、図３（ハ）に示すように、治具８を引き抜く。
【００１５】
なお、この引き抜きの際に、乾式目地材３が目地１内から引き抜かれてしまわないように、例えば、治具８の差込み部９について、これを、先端側に向けて細くなる断面形状に形成しておくのもよいし、溝７の対向両面が治具８の差込み部に両面に強く当接しないような寸法設計をしておくようにしてもよいし、要は、治具８を使用して乾式目地材３を装着した後に、治具８に乾式目地材３を伴わせず、治具８のみを取り外すことができるようになされていればよい。
【００１６】
また、装着方法としては、上記のような方法に限らず、その他、例えば、乾式目地材３をそれ単独で指先などで目地１内に装着し、その装着状態によって、これが左右に振れていたら、上記のような治具８あるいは他の治具を用い、その差込み部９を乾式目地材３の溝７内に差し込んで、向きを修正して所定の適正な装着状態にする、というような装着方法を採ってもよい。
【００１７】
以上に、本発明の実施形態を示したが、本発明はこれに限られるものではなく、発明思想を逸脱しない範囲で各種の変更が可能である。例えば、上記の実施形態では、特定の形態をした乾式目地材３を示しているが、これに限らず、本発明の乾式目地材は、溝を形成できるような芯部と、この芯部から両側方に突出するヒレとを備えた各種形態のものからなっていてよい。更に、ヒレの本数や形態についても、また、芯部の形態についても、各種形態のものが採用されてよいし、溝の形態についても、用いる治具との関係において、各種形態に形成されていてよい。また、乾式目地材３は、弾力性を有するゴム状のもののほか、硬質部分とゴム状部分とを複合化させたものであってもよいし、撓み性を有するヒレを備えた構造のものなど、各種構造のものであってよい。また、本発明の乾式目地材は、上記の実施形態のような２次止水材でなくてもよく、単独で用いられる止水材や、あるいは、目地のバックアップ材などとして用いられるものであってもよい。また、本発明の目地材は、外壁目地に限らず、各種目地用の目地材として構成されてよい。
【００１８】
【発明の効果】
本発明の乾式目地材は、以上のとおりのものであるから、目地内に、適正な姿勢状態に確実に装着することができる。
【図面の簡単な説明】
【図１】実施形態を示すもので、図（イ）は乾式目地材の横断面図、図（ロ）は目地部分の横断面図である。
【図２】目地と乾式目地材と装着用治具とを分離状態にして示す斜視図である。
【図３】図（イ）〜図（ハ）は装着方法を順次に示す横断面図である。
【図４】従来例を示すもので、図（イ）は乾式目地材の横断面図、図（ロ）は目地部分の横断面図、図（ハ）は装着方法を示す横断面図である。
【符号の説明】
１…目地
３…乾式目地材
５…芯部
６…ヒレ
７…溝
８…装着用治具
【図１】
0004658294.tif 000002
【図２】
0004658294.tif 000003
【図３】
0004658294.tif 000004
【図４】
0004658294.tif 000005